(57)【要約】      （修正有）【課題】従来のジブクレーンの主フレームは回転規制手段によって、クレーン転倒防止用ウエイトを搭載した転倒防止用台車に対して旋回範囲が規制され、作業範囲が制限される。また、台車の他のウエイトを搭載した転倒防止用台車を常時装備しなければならないため、クレーン装置が大型化かつ重量化し、また、主フレームは転倒防止用台車の反対側で規制された一定の範囲で旋回してクレーン作業を行うため、転倒中心が常時一定しないため、クレーンの強度設計において過剰強度構造が要求される。【解決手段】台車１上に立設された主柱６に旋回可能に嵌装された主フレーム７に固設されたジブ１２と、前記ジブ１２上を走行する巻上装置を備えたジブクレーンにおいて、主フレーム７は、下部に前記ジブ１２と同一平面上に配置され、前記ジブ１２と同方向に延出する旋回フレーム１４を備え、前記旋回フレーム１４をジブ１２の回動に同期して、同方向に一体的に回動する。【選択図】図１
2010173756.tif 000002
【特許請求の範囲】
【請求項１】
台車上に立設された主柱に旋回可能に嵌装された主フレームに固設されたジブと、前記ジブ上を走行する巻上装置を備えたジブクレーンにおいて、主フレームは、下部に前記ジブと同一平面上に配置され、前記ジブと同方向に延出し、床面に接地する脚部を有する旋回フレームを備え、前記旋回フレームをジブの回動に同期して、同方向に一体的に回動するようにしたことを特徴とするジブクレーン。
【請求項２】
主フレームは、主フレームの下部内側に設けられ、主柱の周面に沿って回動する旋回ガイドローラと、ジブ下部に固着され、主柱上面に設けた軸受けに垂直方向に軸承された旋回軸により、主柱に旋回可能に嵌装されたことを特徴とする請求項１記載のジブクレーン。
【請求項３】
旋回フレームは、主フレームの下部に固設され、ジブと同方向に延出する水平部と、水平部から直角に折曲した旋回脚部と、旋回脚部下端に設けたキャスターを備えたことを特徴とする請求項１記載のジブクレーン。
【請求項４】
台車上に転倒防止用ウエイトを搭載したことを特徴とする請求項１〜３いずれかに記載のジブクレーン。
【発明の詳細な説明】
【技術分野】
【０００１】
本発明は、ジブクレーンに関するもので、さらに詳しくは、転倒防用旋回脚を備えた移動式ジブクレーンに関するものである。
【背景技術】
【０００２】
従来より、支柱に旋回自在に設けたアームの一側にホイスト、他例に荷の昇降を行う支持部材を設けたクレーン装置は公知である。（例えば、特許文献１参照）
上記特許文献に記載されたクレーン装置は、支柱に旋回自在に設けたアーム上を走行するトロリを配置し、一方支柱には索条を巻き取ることができるドラムを有するホイストを設け、前記ドラムに巻付けた索条を、前記トロリに設けた第１プーリを介して下方に垂らした後、さらにトロリに設けた第２プーリを介してアームに固定し、前記下方に垂らした索条には動滑車を設け、該動滑車には負荷を支持する支持部材を設け、前記ドラムにより索条を巻き取り、巻き戻すことにより、前記動滑車を上下させ前記支持部材に支持した負荷を上下できるようにした構成のものである。
【０００３】
しかし、前記した従来のクレーン装置は、カウンターウエイト（転倒防止用ウエイト）を有していないため、アームの転倒を防止するために、支柱を支持する台車には大重量で、かつ大型のものを用いなければならず、そのため、台車の走行スペースが大きくなり、狭い通路での走行、操作が不可能となり、また、支柱は分割できない構成のものであるため、クレーン装置の搬入、搬出が制限されるという課題を有していた。
【０００４】
これらの課題を解決ため、主台車上に立設された主柱に主フレームによって旋回可能に設けられたアームと、前記アームに装設されたリンクチェーンの巻上装置を備えたジブクレーンにおいて、主フレームは、上下フレームに分割され、分割部には、主台車に立設された主柱に対してフレームを一定範囲で回転可能とする回転規制手段が設けられ、主台車は、クレーン転倒防止用ウエイトを搭載した転倒防止用台車と装脱可能に連結されたジブクレーンが提案されている。（例えば、特許文献２）
【先行技術文献】
【特許文献】
【０００５】
【特許文献１】実用新案登録第３０２７０８１号公報
【特許文献２】特開２００５−１８７１９３号公報
【発明の概要】
【発明が解決しようとする課題】
【０００６】
上記特許文献２に記載されたジブクレーンは、アームの回転範囲を規制することで、転倒防止用台車の略反対側で巻上装置による巻上操作を行うことができるため、安全にクレーンを操作することができるという特徴を有するが、
ジブクレーンの主フレームは回転規制手段によって、クレーン転倒防止用ウエイトを搭載した転倒防止用台車に対して旋回範囲が規制されるため、作業範囲が制限されるという課題を有していた。また、台車の他にウエイトを搭載した転倒防止用台車を常時装備しなければならないため、クレーン装置が大型化かつ重量化し、また、主フレームは転倒防止用台車の反対側で規制された一定の範囲で旋回してクレーン作業を行うため、転倒中心が常時一定しないため、クレーンの強度設計において過剰強度構造が要求されるという課題を有していた。
【課題を解決するための手段】
【０００７】
本発明は上記課題を解決するもので、台車上に立設された主柱に旋回可能に嵌装された主フレームに固設されたジブと、前記ジブ上を走行する巻上装置を備えたジブクレーンにおいて、主フレームは、下部に前記ジブと同一平面上に配置され、前記ジブと同方向に延出し、床面に接地する脚部を有する旋回フレームを備え、前記旋回フレームをジブの回動に同期して、同方向に一体的に回動するようにしたことを特徴とする。
【０００８】
また、主フレームは、主フレームの下部内側に設けられ、主柱の周面に沿って回動する旋回ガイドローラと、ジブ下部に固着され、主柱上面に設けた軸受けに垂直方向に軸承された旋回軸により、主柱に旋回可能に嵌装されたことを特徴とする。
【０００９】
また、旋回フレームは、主フレームの下部に固設され、ジブと同方向に延出する水平部と、水平部から直角に折曲した旋回脚部と、旋回脚部下端に設けたキャスターを備えたことを特徴とする。
【００１０】
また、台車上に転倒防止用ウエイトを搭載したことを特徴とする。
【発明の効果】
【００１１】
本発明は、ジブが固設された主フレームの下部に、ジブと同一平面上に配置され、ジブと同方向に延出し、床面に接地する脚部を有する旋回フレームを設け、旋回フレームをジブと同期して同方向に回動するようにし、クレーンの吊り上げ荷重に対する台車側への負荷を旋回フレームと台車に搭載したウエイトによって支保する構造としたので、ジブは旋回範囲が規制されず作業を行うことができるとともに、台車側への負荷が旋回フレームにより軽減されるため、転倒防止用ウエイトを含め台車本体構造の大幅な軽量化が可能となる。また、ジブと旋回フレームが同方向に一体的に回動するので、クレーンの転倒中心が常に一定となり、また、転倒モーメントを軽減することができるので、強度設計において適正な構造設計が可能となる。また、クレーン不使用時には、ジブと旋回フレームの水平部の間に巻上装置を待避することができ、さらにまた、クレーンの小形化が可能となるため、クレーンを固定物で床面に固定することなく、作業場所に自由に移動しクレーン作業を行うことが可能となる。
【図面の簡単な説明】
【００１２】
【図１】本発明のジブクレーンの正面図。
【図２】（ａ）主フレーム部の拡大図、（ｂ）は主フレームの鋼板の連結部と旋回構造部分を示す拡大説明図。
【図３】本発明のジブクレーンの側面図。
【図４】台車部分の底面図。
【発明を実施するための形態】
【００１３】
以下、本発明の実施の形態を図１〜図４を参照して説明する。
【００１４】
図１は本発明のジブクレーンの正面図、図２は図１の主フレームの旋回構造部分を示す拡大説明図、図３は本発明のジブクレーンの側面図、図４は台車部分の底面図である。図において、１は台車で、上面に転倒防止用ウエイト２を搭載し、底面には移動用キヤスター３ａと台車１を床面２２に固定するフロアーロック４を備える。移動用キヤスター３ａは図４に示すように台車１の４隅にそれぞれ１個ずつ旋回可能に配置され、フロアーロック４は各辺の中央部にそれぞれ１個ずつ旋回可能に配置されている。フロアーロック４はゴムブロックと押圧バネで構成され、床面２２に対してばねでゴムブロックを押し付け、その摩擦力で台車１の横移動を防止する構成となっている。５はウエイト２の上部に固設されたベースプレートで、ベースプレート５の中央部には主柱である円筒状マスト６が立設されている。マスト６には主フレーム７が回動可能に嵌装されている。主フレーム７の相対向する左右鋼板７ａ、７ｂは上下一対の連結部材８ａ、８ｂによって連結されており、連結部材８ａ、８ｂにはマスト６の周面に沿って回動する旋回ガイドローラ９を軸支するガイドローラ軸１０が設けられている。マスト６の上面には軸受け１１が設けられており、軸受け１１には後記するジブ１２の下部に固着された旋回軸１３が垂直方向に軸承されている。主フレーム７の上部にはジブ１２が固設され、主フレーム７の下部には後記する旋回フレーム１４が固設されている。主フレーム７は下部内側に設けられ、マスト６の周面に沿って回動する旋回ガイドローラ９とマスト６の上面に設けた軸受け１１に垂直方向に軸承された旋回軸１３によって、マスト６に対して回転可能に嵌装されている。旋回フレーム１４は主フレーム７の下部に固設された水平部１４ａと水平部１４ａから下方に直角に折曲した旋回脚部１４ｂを有し、旋回脚部１４ｂの下端には床面２２上を回動するキャスター３ｂが設けられ、旋回フレーム１４の左右フレームは連結部材１５で連結されている。旋回フレーム１４の水平部１４ａとジブ１２は同一平面上に同一方向に延出して配置され、ジブ１２と前記水平部１４ａ間にはチェーンブロック１６が退避できるスペース２１が設けられている。１６はジブ１２上を走行するトロリー付きチェーンブロック、１７は走行用車輪、１８はチェーンブロック用ハンドチェーン、１９はトロリー走行用ハンドチェーン、２０はジブ１２の端部に設けられたトロリー逸走防止用ストッパーである。
【００１５】
上記した通り、本実施の形態のジブクレーンは、ジブ１２が固設された主フレーム７の下部にジブ１２と同一平面上で、かつ同方向に延出する旋回フレーム１４を設け、旋回フレーム１４をジブ１２と同期して同方向に一体的に回動するように構成したので、クレーン作業時において、クレーンの吊り上げ荷重に対する台車側への負荷を旋回フレーム１４と台車１に搭載した転倒防止用ウエイトによって支え、転倒を防止することができるので、クレーン構造の軽量化が可能で、またジブ１２は旋回範囲が規制されないので、クレーンは自由に旋回し作業を行うことができる。また、ジブ１２と旋回フレーム１４は同一方向に回動するので、クレーンの転倒中心が一定となるため、適正な強度設計が可能となり、また、転倒モーメントを軽減することができので台車構造の軽量化が可能となる。
【符号の説明】
【００１６】
１  台車
２  転倒防止用ウエイト
３ａ、３ｂ  キャスター
４  フロアーロック
６  主柱
７  主フレーム
９  ガイドローラ
１１  軸受け
１２  ジブ
１３  旋回軸
１４  旋回フレーム
１４ａ  水平部
１４ｂ  旋回脚部
【図１】
2010173756.tif 000003
【図２】
2010173756.tif 000004
【図３】
2010173756.tif 000005
【図４】
2010173756.tif 000006